(57)【要約】【課題】取り付けスペースを小さくすることができ、組み立て作業性が向上し、コストを低減し、過電流引き外し素子の調整に手間がかからない回路遮断器の電磁装置を提供する。【解決手段】電源側端子３と負荷側端子４間の主回路の一部を構成する２極の導電体５，５を同時に囲うように平板部６ａの対向する２辺に折曲部６ｂを折曲して略コ字状に固定電磁片６を形成し、固定電磁片６の折曲部６ｂに可動電磁片７の一端を軸支して接離自在に設け、可動電磁片７を固定電磁片６から離反するように弾性部材８により付勢して電磁装置２を構成する。【選択図】図２
2009087691.tif 000002
【特許請求の範囲】
【請求項１】
回路遮断器の電源側端子と負荷側端子間の主回路の一部を構成する導電体を囲うように平板部の対向する２辺に折曲部を折曲して略コ字状に形成した固定電磁片と、該固定電磁片の折曲部に一端が軸支されて接離自在に設けられた可動電磁片と、該可動電磁片を前記固定電磁片から離反するように付勢する弾性部材とで成る回路遮断器の電磁装置において、前記固定電磁片は並設した２極の導電体を折曲部間に収容するように形成したことを特徴とする回路遮断器の電磁装置。
【請求項２】
前記２極の導電体の前記固定電磁片の折曲部に収容される部分に流れる電流が同じ方向になるようにしたことを特徴とする請求項１に記載の回路遮断器の電磁装置。
【発明の詳細な説明】
【技術分野】
【０００１】
本発明は、短絡等によって主回路に過大電流が流れた時に動作して主回路を遮断する回路遮断器の電磁装置に関する。
【背景技術】
【０００２】
回路遮断器の電磁装置は、平板部の対向する２辺に折曲部を折曲形成して略コ字状に形成した固定電磁片が電源側端子と負荷側端子間の主回路の一部を構成する導電体を囲うように取り付けられ、固定電磁片の折曲部に可動電磁片の一端が軸支されて接離自在に設けられ、可動電磁片は弾性部材により固定電磁片から離反するようにされている。そして、主回路に過大電流が流れると、固定電磁片が過大電流により磁化し、可動電磁片が弾性部材の付勢力に抗して固定電磁片に吸着し、可動電磁片の先端が引き外し部材を動作させ、引き外し部材が開閉機構部を動作させて開閉接点を開離することにより、主回路を遮断するようになっている。電磁装置は電圧極と中性極の各極に夫々設けられたり、電圧極にのみ設けられたりしている（例えば特許文献１、特許文献２参照。）。
【０００３】
【特許文献１】特開２００７−８７８２４号公報（図１）
【特許文献２】特開２００５−１０８６０５号公報（図１）
【発明の開示】
【発明が解決しようとする課題】
【０００４】
電磁装置が各極に夫々設けられる場合は取り付けスペースが必要になり、組み立てに手間がかかり、コストも高くなる欠点があった。また、電磁装置が１極のみに設けられる場合、電磁装置が設けられていない極は規格の短絡性能を満足するために電磁装置が設けられた極よりも早く遮断するように過電流引き外し素子の調整をしなければならず、この調整がシビアで手間がかかるという問題があった。
【課題を解決するための手段】
【０００５】
本発明は、請求項１に記載の発明によれば、回路遮断器の電源側端子と負荷側端子間の主回路の一部を構成する導電体を囲うように平板部の対向する２辺に折曲部を折曲して略コ字状に形成した固定電磁片と、固定電磁片の折曲部に一端が軸支されて接離自在に設けられた可動電磁片と、可動電磁片を固定電磁片から離反するように付勢する弾性部材とで成る回路遮断器の電磁装置において、固定電磁片は並設した２極の導電体を折曲部間に収容するように形成したことを特徴とする。
【０００６】
請求項２に記載の発明によれば、請求項１に記載の回路遮断器の電磁装置において、２極の導電体の前記固定電磁片の折曲部に収容される部分に流れる電流が同じ方向になるようにしたことを特徴とする。
【発明の効果】
【０００７】
請求項１に記載の発明によれば、１つの電磁装置で２極の電磁引き外しができ、取り付けスペースを小さくすることができ、また、１つの電磁装置しか必要ないので組み立て作業性が向上し、部品点数が少なくなるのでコストが低減し、１つの電磁装置で２極とも電磁引き外しするので過電流引き外し素子の調整をシビアにする必要がなく、調整に手間がかかららないという効果がある。
【０００８】
請求項２に記載の発明によれば、２極の導電体に流れる電流による磁界が合わさって磁力が強くなるので引き外し時間が速くなるという効果がある。
【発明を実施するための最良の形態】
【０００９】
電源側端子と負荷側端子間の主回路の一部を構成する２極の導電体を同時に囲うように平板部の対向する２辺に折曲部を折曲して略コ字状に固定電磁片を形成し、固定電磁片の折曲部に可動電磁片の一端を軸支して接離自在に設け、可動電磁片を固定電磁片から離反するように弾性部材により付勢して電磁装置を構成する。
【実施例１】
【００１０】
本発明に係る回路遮断器の電磁装置の実施例１を図１及び図２の添付図面に基づいて説明する。
【００１１】
回路遮断器１に設けられる電磁装置２は電源側端子３と負荷側端子４間の主回路の一部を構成する導電体５を囲うように配置される固定電磁片６と、固定電磁片６に接離自在に設けられる可動電磁片７と、正常時に可動電磁片７を固定電磁片６から離反するように付勢する弾性部材８とで成っている。
【００１２】
固定電磁片６は平板部６ａの対向する２辺に折曲部６ｂを折曲して略コ字状に形成し、折曲部６ｂ，６ｂ間に外周面を絶縁保護した２極の導電体５，５を並設して収容している。
【００１３】
可動電磁片７は固定電磁片６の折曲部６ｂに一端が軸支され、軸７ａを中心に回動して他端が固定電磁片６の折曲部６ｂの端縁に接離するように設けられている。
【００１４】
弾性部材８はコイルバネが用いられ、コイルバネの一端は可動電磁片７の他端に係止され、他端は回路遮断器１のケース９に係止されている。
【００１５】
このように形成された電磁装置２は、導電体５に過大電流が流れると固定電磁片６が磁化し、可動電磁片７が弾性部材８の付勢力に抗して固定電磁片６に吸着される。これにより、可動電磁片７の先端が引き外し部材１０を動作させ、引き外し部材１０に動作により開閉機構部１１を動作させて開閉接点１２を開離し、主回路を遮断する。
【実施例２】
【００１６】
本発明に係る回路遮断器の電磁装置の実施例２を図３及び図４の添付図面に基づいて説明する。
【００１７】
回路遮断器２１に設けられる電磁装置２２は電源側端子２３と負荷側端子２４間の主回路の一部を構成する導電体２５を囲うように配置される固定電磁片２６と、固定電磁片２６に接離自在に設けられる可動電磁片２７と、正常時に可動電磁片２７を固定電磁片２６から離反するように付勢する弾性部材２８とで成っている。
【００１８】
固定電磁片２６は平板部２６ａの対向する２辺に折曲部２６ｂを折曲して略コ字状に形成し、折曲部２６ｂ，２６ｂ間に外周面を絶縁保護した２極の導電体２５，２５を並設して収容している。このとき、２極の導電体２５のうち、一方の極の導電体２５は固定電磁片２６の平板部２６ａの外側を通した後、平板部２６ａの内側を通るようにして平板部２６ａの周囲を１周するように設け、導電体２５の折曲部２６ｂ間に収容される部分に流れる電流が同じ方向になるようにしている。
【００１９】
可動電磁片２７は固定電磁片２６の折曲部２６ｂに一端が軸支され、軸２７ａを中心に回動して他端が固定電磁片２６の折曲部２６ｂの端縁に接離するように設けられている。
【００２０】
弾性部材２８はコイルバネが用いられ、コイルバネの一端は可動電磁片２７の他端に係止され、他端は回路遮断器２１のケース２９に係止されている。
【００２１】
このように形成された電磁装置２２は、導電体２５に過大電流が流れると固定電磁片２６が磁化し、可動電磁片２７が弾性部材２８の付勢力に抗して固定電磁片２６に吸着される。これにより、可動電磁片２７の先端が引き外し部材３０を動作させ、引き外し部材３０に動作により開閉機構部３１を動作させて開閉接点３２を開離し、主回路を遮断する。
【００２２】
導電体２５の折曲部２６ｂ間に収容される部分に流れる電流を同じ方向にしたことで図４の矢印で示すように磁界が同じ向きに発生し、２つの磁界が合わさって強い磁力を発生させるので固定電磁片２６に可動電磁片２７が吸着する時間が短縮し、引き外し時間が早い。
【図面の簡単な説明】
【００２３】
【図１】本発明の実施例１に係る回路遮断器の内部構造を表す側面図である。
【図２】本発明の実施例１に係る回路遮断器の電磁装置を示す平面図である。
【図３】本発明の実施例２に係る回路遮断器の内部構造を表す側面図である。
【図４】本発明の実施例２に係る回路遮断器の電磁装置を示す平面図である。
【図５】本発明の実施例２に係る回路遮断器の電磁装置を示す側面図である。
【符号の説明】
【００２４】
１    回路遮断器
２    電磁装置
３    電源側端子
４    負荷側端子
５    導電体
６    固定電磁片
６ａ    平板部
６ｂ    折曲部
７    可動電磁片
７ａ    軸
８    弾性部材
９    ケース
１０    引き外し部材
１１    開閉機構部
１２    開閉接点
【図１】
2009087691.tif 000003
【図２】
2009087691.tif 000004
【図３】
2009087691.tif 000005
【図４】
2009087691.tif 000006
【図５】
2009087691.tif 000007